(57)【要約】【課題】インターネットから個人の生理データを書き入れ/読み取りできる個人生理データ管理システムの開発。【解決手段】１つのプラットフォーム（platform）を含むウェブ・サイトを提供し、そこを経由して患者個人の生理データをサーバのメモリに書き入れ、必要な時に読み取り、病院や医療機関に参考のため、提供するようにした。【選択図】図１
0003150133.tif 000002
【実用新案登録請求の範囲】
【請求項１】
インターネットから個人の生理データを書き入れ/読み取り可能な、個人生理データ管理システムであって、
個人の生理データを使用者（患者）自身、または医療機関がウェブ・サイト（web site）から書き入れ/読み取りできる、プラットフォーム（platform）を備え、
前記使用者（患者）にウェブ・ページ（web page）を提供し、個人用として、長期に渡って、前記生理データを入力（upload）、記録、インタセップト（intercept）、検討、または転送などができる、ウェブ・サイト表示用ウェブサーバ（server）と、
前記個人生理データの来源や正確性を判断し、データの入力の錯誤、ハッカー（hacker）の侵入によるデータの盗取、破壊、病毒の伝播などを防止し、前記サーバの正常運転を確保する、管理者用端末と、
を含んだ、個人生理データ管理システム。
【請求項２】
前記ウェブ・サイトは、前記使用者が如何なる所からでも、その個人生理データを入力して前記サーバのメモリにストアしたり、また、インタセップトして取り出し、検査することができる、請求項１に記載の個人生理データ管理システム。
【請求項３】
前記ウェブ・サイトは使用者（患者）の同意の元で、医療機関が前記個人生理データや医療記録を前記サーバのメモリから/に読み取り/書き入れて、必要な医療処置や査問を許可する、請求項１に記載の個人生理データ管理システム。
【請求項４】
前記個人の生理データ、例えば、体温、血圧、脈搏、血糖、血中酸素値などと、脳波図、心電図、胸部レントゲン図やその外の検測可能な生物化学的数値、免疫反応、電解物質や色々な影像を、インターネットや通信設備を通して伝送する、請求項１に記載の個人生理データ管理システム。
【請求項５】
前記個人の生理データは人工により登録、または前記医療機関が儀器で検測した後登録する、請求項１に記載の個人生理データ管理システム。
【請求項６】
前記サーバは使用者の身分、前記個人の生理データと検測した時間や来源の正確性を判断し、記録する、請求項１に記載の個人生理データ管理システム。
【請求項７】
前記サーバの中にはそれぞれ、しきい値（threshold value）が設定されていて、入力された前記個人の生理データが、このしきい値を超えた場合、関係者と前記医療機関は前記サーバの通告で、必要な医療処置をとる、請求項１に記載の個人生理データ管理システム。
【請求項８】
前記しきい値は、WHO或いは世界各国の医界の権威より提供される、請求項７に記載の個人生理データ管理システム。
【請求項９】
前記関係者とは患者の家族、または指定された個人や団体で、緊急状態と認めた場合、当地の救急センターに連絡し、応急処置を取る、請求項７に記載の個人生理データ管理システム。
【請求項１０】
前記ウェブ・サイトとウェブ・ページは、前記サーバに前記データのストア時間とストアする方式を設定し、また前記データの分析と統計の機能を有し、ブラウザー(browser)を支援して各種の表示をする、請求項１に記載の個人生理データ管理システム。
【請求項１１】
前記ウェブ・サイトのウェブ・ページは、前記データを曲線、コラム(column)、グラフや表、拡大や縮小した色彩図表で示す、請求項１に記載の個人生理データ管理システム。
【請求項１２】
前記ウェブ・サイトの使用者（患者）の同意の下で、前記医療機関は前記使用者（患者）個人の外来、入院及び健康診断を含む医療記録を登録できる請求項３に記載の個人生理データ管理システム。
【請求項１３】
前記ウェブ・サイトの使用者（患者）の同意の下で、前記ウェブ・サイトは持続して前記個人の生理データの監測記録を遠隔地の医療機関に提供し、遠隔地で監測、記録、警告、或いは緊急医療処置を取る、請求項１に記載の個人生理データ管理システム。
【考案の詳細な説明】
【技術分野】
【０００１】
本考案はインターネットから個人の生理データを書き入れ/読み取りできる、個人生理データ管理システムに関するもので、即ち、資料を書き入れ/読み取りできるサーバを備えたウェブ・サイトに於て、インターネットを経て個人の生理データをサーバに書き入れ、医療機関が必要な医療行為を執行するため、何処からでもこのデータを取得できる、個人生理データ管理システムに関するものである。
【背景技術】
【０００２】
インターネット技術の驚異的な進歩は、色々な資料をウェブ・ページに登録し、速読し、またはウェブ・サイトから資料をインタセップト（intercept）できるようになった。
このような極上の現代技術をより広泛に、より効果的に日常生活、特に医療界に於て利用することは、非常に価値あるものである。 
【０００３】
患者の生理機能の徴候として、体温、血圧、脈搏、血糖、血中酸素、脳波、心電図、胸部レントゲンなどの記録が病院に保存され、必要な時に利用される。然るに患者が遠隔地に旅行して発病し、医療を受ける場合、当地の医師は、正確な診断を下すために必要な、上記の生理機能の徴候、即ち生理データの記録が手元にないので、重複した検査が必要となり、時間や金銭の浪費となる。このような不便とむだは避けなければならない。
【０００４】
このような不便を解決するため、現今の高度な発展を遂げたインターネット技術を駆使して、患者のプライバシーを侵犯しない程度に於て、その個人の生理データをインターネット上のウェブ・サイトから取り入れ、医師の診断上の参考にすることは、よい解決手段である。
【０００５】
この問題に取り組んで本願の考案者は長年に渡る苦心研鑽の結果、遂に本考案の開発の成功に至ったのである。
【考案の概要】
【考案が解決しようとする課題】
【０００６】
個人の生理データの記録をストアし、いつ、如何なる場所からでも読み取って、病院や医療機関に提供し、医師の診断の参考になる、インターネットから個人の生理データを書き入れ/読み取りできる、個人生理データ管理システムの提供を本考案の目的とする。
【課題を解決するための手段】
【０００７】
上記の目的を解決せんがため、本考案では１つのプラットフォーム（platform）を含んだウェブ・サイトのサーバを提供して、そこを経由して患者個人の生理データをサーバのメモリに書き入れ、必要に応じて読み取り、病院や医療機関に診断の参考として提供する個人生理データ管理システムである。
【図面の簡単な説明】
【０００８】
【図１】本考案に係る、インターネットから個人の生理データを書き入れ/読み取りできる、個人生理データ管理システムの系統図である。
【図２】本考案に係る、インターネットから個人の生理データを書き入れ/読み取りできる、個人生理データ管理システムの実施例図である。
【考案を実施するための形態】
【０００９】
図１は本考案に係る、インターネットから個人の生理データを書き入れ/読み取りできる個人生理データ管理システムの系統図である。
図１に示すように、その中にはサーバ１２、ウェブ・サイト１３、管理者用端末１４、使用者（患者）１１と病院または医療機関１５を含んでいる。
【００１０】
サーバ１２は使用者１１と、病院または医療機関１５に１つのアクセシブル（accessible）なプラットフォームを提供し、ここからウェブ・サイト１３のサーバ１２に使用者１１の生理データを書き入れ/読み取りする。システム管理者は管理者用端末１４によって、サーバ１２の正常な運転を確保するため、サーバ１２に使用者１１の身分、個人生理データ、検測した時期、或いは資料の来源（記録儀器の記録による）が正確か否かを判断させる。
【００１１】
サーバ１２の中にはそれぞれのしきい値(threshold value)が設定されていて、入力された個人の生理データが、このしきい値を超えた場合、関係者と病院や医療機関１５はサーバ１２の通告により、必要な医療処置を取る。これらのしきい値はWHO（世界衛生組織）、或いは世界各国の医界の権威より提供されるものである。そして関係者とは使用者（患者）１１の家族、また指定された個人や団体で、緊急状態と認めた場合、当地の救急センター（例えば１１９）に連絡し、応急処置を取る。
【００１２】
ウェブ・サイト１３のウェブ・ページは、使用者（患者）１１に私人用として、個人の生理データの長期に渡っての登録、ストア、検視、インタセップト、または転送を許す。使用者（患者）１１は、このウェブ・サイト１３のサーバ１２にストアする時間と方式を設定することができる。また、データの分析と統計の機能を有し、またウェブ・サイト１３のブラウザー(browser)を支援して、各種の表示をする。例えば過去１週間/１ヶ月/１年間の血糖値の表示、また他の生理データも同様に表示できる。データは曲線、コラム(column)、グラフや表(table)、拡大や縮小した色彩図により、使用者１１をして一目瞭然たらしめる。
【００１３】
管理者は、管理者用端末１４を介して、データの来源や正確か否かを識別し、不正確なデータの入力、ハッカー（hacker）やマルウェア(malware)の侵入、病毒による破壊の防止を司どり、サーバ１２の正常運転と安全を確保する。
【００１４】
使用者１１はサーバ１２のメモリーから、個人の生理データを読み取り、またメモリーに書き入れたりし、或いは任意の所から査問したり、検視したりする。ここで生理データとは体温、血圧、脈搏、血糖、血中酸素、脳波図、胸部レントゲン、心電図などを指し、またその他測定可能な人体の試験データ、例えば生物化学的検測値、免疫反応、電解質、及びその他の影像など、インターネットや通信回路を通じて伝送できる測定値をも含むものである。
【００１５】
病院（医療機関）１５は使用者（患者）１１の同意の下で、ウェブ・サイト１３のサーバ１２に、使用者１１個人の生理データを書き入れたり、サーバ１２から読み取ったりして、使用者１１に対し、必要な医療処置を取る。このような構成で使用者１１のサーバ１２にストアされた電子式病歴は、必要がある場合、参考用として、その他の医療機関１５にも提供できるのである。
【００１６】
図２は本考案に係る、インターネットから個人の生理データを書き入れ/読み取りできる個人生理データ管理システムの実施例図である。患者自身、その家族や健康管理者を含む使用者１１は、インターネット、有線や無線の通信回路を通じて、その個人の生理データをウェブ・サイト１３のサーバ１２に書き入れ、或いは読み取って、遠隔地にいる使用者１２や病院または医療機関１５に提供する。さらに特定に緊急事情に遭遇した際、当地の救護センター１７は要請あり次第、救急車１８を派遣して、患者１１を現在居る遠隔地の医療機関１６に護送し、治療を受けさせるのである。この際、この遠隔地の医療機関はインターネットを通じてウェブ・サイト１３のサーバ１２から患者１１の生理データを読み取り、最善の治療を施すための良い参考にする。
【００１７】
以上詳細な説明は、本考案の実施可能な実施例についての具体的説明である。但し、この実施例は、本考案の特許請求範囲を制限するものではなく、凡そ本考案の技術精神を逸脱せずになされた同等効果の実施、または変更は、全て本考案の特許請求範囲内に含まれるものとする。
【符号の説明】
【００１８】
１１：使用者（患者）      １２：サーバ
１３：ウェブ・サイト      １４：管理者用端末
１５：病院（医療機関）    １６：遠隔地の医療機関
１７：救護センター        １８：救急車
【図１】
0003150133.tif 000003
【図２】
0003150133.tif 000004